(57)【要約】【課題】容器内を冷却した状態で長く保つことができる保冷容器を提供する。【解決手段】上部に開口部３０を有している容器本体３と、開口部３０内に配置される第一の中蓋５と、開口部３０内の第一の中蓋５の上方に配置される第二の中蓋６と、第一の中蓋５および第二の中蓋６が配置された開口部３０を覆うように配置される上蓋４と、を備えるようにした保冷容器であり、このような構成としたことにより、上方の断熱効果を高くして、容器内を冷却した状態で長く保つことができる。【選択図】図１
2020083340.tif 000002
【特許請求の範囲】
【請求項１】
上部に開口部を有している容器本体と、
前記開口部内に配置される第一の中蓋と、
前記開口部内の前記第一の中蓋の上方に配置される第二の中蓋と、
前記第一の中蓋および第二の中蓋が配置された開口部を覆うように配置される上蓋と、を備えた保冷容器。
【請求項２】
前記容器本体の内側壁の上端側には、下方から順に第一の段差と、第二の段差とが設けられ、
前記第一の中蓋は、前記第一の段差の上面に当該第一の中蓋の周縁が載置されるよう配置され、
前記第二の中蓋は、前記第二の段差の上面に当該第二の中蓋の周縁が周縁が載置されるよう配置される請求項１記載の保冷容器。
【請求項３】
前記第一の中蓋および第二の中蓋は、それぞれ１以上の貫通孔を有している請求項１または請求項２記載の保冷容器。
【請求項４】
前記第一の中蓋の貫通孔と、前記第二の中蓋の貫通孔とは、前記容器本体の上方からみた位置が異なる位置に配置されている請求項３記載の保冷容器。
【請求項５】
前記第一の中蓋および第二の中蓋がそれぞれ有する貫通孔の数は、６以上である請求項３または請求項４記載の保冷容器。
【請求項６】
前記第一の中蓋は、１以上の突起部を上面に有している請求項１から請求項５いずれか一項記載の保冷容器。
【請求項７】
前記突起部は、平面形状が直線状に伸びる形状を有している請求項６記載の保冷容器。
【請求項８】
前記第一の中蓋の周縁上部に、取手として利用可能な凹部が設けられている請求項７記載の保冷容器。
【請求項９】
前記開口部に配置された第一の中蓋と、第二の中蓋との間に空間を有している請求項１から請求項８いずれか一項記載の保冷容器。
【請求項１０】
前記開口部に配置された第二の中蓋と、前記開口部を覆うように配置された上蓋との間に空間を有している請求項１から請求項８いずれか一項記載の保冷容器。
【発明の詳細な説明】
【技術分野】
【０００１】
本発明は、保冷容器に関するものである。
【背景技術】
【０００２】
従来の技術として、蓋の内部に収納しているエアポンプ等を用いて、蓋に設けられた別の蓋に形成している空気取り入れ口より容器内部に空気または冷却された外気を取り入れて容器内部に吹き込む容器が知られていた（例えば、特許文献１参照）。
【先行技術文献】
【特許文献】
【０００３】
【特許文献１】特開平７−１６０３７号公報（第１頁、第１図等）
【発明の概要】
【発明が解決しようとする課題】
【０００４】
しかしながら、従来の技術においては、容器内を冷却した状態で長く保つことが困難である、という課題があった。
【０００５】
本発明は、上記のような課題を解消するためになされたものであり、容器内を冷却した状態で長く保つことができる保冷容器を提供することを目的とする。
【課題を解決するための手段】
【０００６】
本発明の保冷容器は、上部に開口部を有している容器本体と、前記開口部内に配置される第一の中蓋と、前記開口部内の前記第一の中蓋の上方に配置される第二の中蓋と、前記第一の中蓋および第二の中蓋が配置された開口部を覆うように配置される上蓋と、を備えた保冷容器である。
【０００７】
かかる構成により、第一の中蓋、第二の中蓋、および上蓋により、上方の断熱効果を高くして、容器内を冷却した状態で長く保つことができる。
【０００８】
また、本発明の保冷容器は、前記保冷容器において、前記容器本体の内側壁の上端側には、下方から順に第一の段差と、第二の段差とが設けられ、前記第一の中蓋は、前記第一の段差の上面に当該第一の中蓋の周縁が載置されるよう配置され、前記第二の中蓋は、前記第二の段差の上面に当該第二の中蓋の周縁が載置されるよう配置されるようにした保冷容器であってもよい。
【０００９】
かかる構成により、第一の中蓋や、第二の中蓋を、容器内の予め決められた位置で固定することができる。
【００１０】
また、本発明の保冷容器は、前記保冷容器において、前記第一の中蓋および第二の中蓋は、それぞれ１以上の貫通孔を有しているようにした保冷容器であってもよい。
【００１１】
かかる構成により、冷気を容器の底部側に送り込むことができる。
【００１２】
また、本発明の保冷容器は、前記保冷容器において、前記第一の中蓋の貫通孔と、前記第二の中蓋の貫通孔とは、前記容器本体の上方からみた位置が異なる位置に配置されているようにした保冷容器であってもよい。
【００１３】
かかる構成により、第一の中蓋の貫通孔を下から通過した水等の液体が、第二の中蓋の貫通孔を直接通過しにくくして、液体の第二の中蓋の通過を防ぐことができる。
【００１４】
また、本発明の保冷容器は、前記保冷容器において、前記第一の中蓋および第二の中蓋がそれぞれ有する貫通孔の数は、６以上であるようにした保冷容器であってもよい。
【００１５】
かかる構成により、冷気が第一の中蓋および第二の中蓋を適切に通過できるようにすることができる。
【００１６】
また、本発明の保冷容器は、前記保冷容器において、前記第一の中蓋は、１以上の突起部を上面に有しているようにした保冷容器であってもよい。
【００１７】
かかる構成により、第二の中蓋との間に空間を確保することができる。
【００１８】
また、本発明の保冷容器は、前記保冷容器において、前記突起部は、平面形状が直線状に伸びる形状を有しているようにした保冷容器であってもよい。
【００１９】
かかる構成により、冷気の流れを制御することができる。
【００２０】
また、本発明の保冷容器は、前記保冷容器において、前記第一の中蓋の周縁上部に、取手として利用可能な凹部が設けられているようにした保冷容器であってもよい。
【００２１】
かかる構成により、第一の中蓋を取り外し易くすることができる。
【００２２】
また、本発明の保冷容器は、前記保冷容器において、前記開口部に配置された第一の中蓋と、第二の中蓋との間に空間を有しているようにした保冷容器であってもよい。
【００２３】
かかる構成により、第一の中蓋に与えられた下から押す力が第二の中蓋に伝わりにくくすることができ、第二の中蓋が上方向にずれることを防ぐことができる。
【００２４】
また、本発明の保冷容器は、前記保冷容器において、前記開口部に配置された第二の中蓋と、前記開口部を覆うように配置された上蓋との間に空間を有しているようにした保冷容器であってもよい。
【００２５】
かかる構成により、蓄冷材を配置することができる。
【発明の効果】
【００２６】
本発明によれば、容器内を冷却した状態で長く保つことができる。
【図面の簡単な説明】
【００２７】
【図１】本発明の実施の形態に係る保冷容器１の斜視図
【図２】同保冷容器の全体の縦断面図（図２（ａ））および一部の断面図（図２（ｂ））
【図３】同保冷容器を説明する平面図（図３（ａ）〜図３（ｃ））
【図４】同保冷容器を説明する平面図（図４（ａ）〜図４（ｃ））
【発明を実施するための形態】
【００２８】
以下、保冷容器の実施形態について図面を参照して説明する。なお、実施の形態において同じ符号を付した構成要素は同様の動作を行うので、再度の説明を省略する場合がある。
【００２９】
（実施の形態）
図１は本発明の実施の形態に係る保冷容器１を示す斜視図である。
【００３０】
図２（ａ）は、保冷容器１に第一の中蓋５、第二の中蓋６、および上蓋４を取付けた状態の縦断面図である。なお、ここでは、保冷容器１内に蓄冷材である保冷剤８０を配置し、収容部７５に水および活魚を収容した状態の断面を示している。また、説明の便宜上、第一の中蓋５については貫通孔が並んでいる部分の断面を示し、他の部分は，保冷容器１の中心を通る断面を示している。
【００３１】
図３は、保冷容器１を上方からみた平面図（図３（ａ）、容器本体３に第一の中蓋５を取付けた状態の平面図（図３（ｂ））、および保冷容器１に第一の中蓋５、および第二の中蓋６を取付け、第二の中蓋６にエアポンプを配置した状態の平面図（図３（ｃ））である。
【００３２】
図４は、保冷容器１の第二の中蓋６の平面図（図４（ａ））、第一の中蓋５の平面図（図４（ｂ））、および第一の中蓋５の斜視図（図４（ｃ））である。
【００３３】
保冷容器１は、容器本体３、上蓋４、第一の中蓋５、および第二の中蓋６を備えている。容器本体３は、上部に開口部３０を有する。容器本体３の内部７の底部側には、保冷容器１に収容する収容物が収容される収容部７５を有している。容器本体３の内部７の底部には、エア供給収容部９が設けられている。上蓋４、第一の中蓋５および第二の中蓋６を取り外した状態では、容器本体３の内部７は開口部３０を通じて開放されている。また、エア供給収容部９の上方は、内部７に対して開口されている。ここでは、容器本体３、上蓋４、第一の中蓋５、および第二の中蓋６がいずれも発泡樹脂製、即ち具体的には発泡スチロール製である場合について説明する。ただし、これらの材質等は、断熱性を有する材質や構造であれば、発泡樹脂製に限定されるものではない。容器本体３および開口部３０の平面形状は、角が丸い矩形形状となっている。ただし、容器本体３および開口部３０の形状は、この形状に限定されるものではない。また、容器本体３のサイズ等は問わない。
【００３４】
容器本体３の内側面７０の上部側には、下方から順に第一の段差７１および第二の段差７２がそれぞれ設けられている。第一の段差７１および第二の段差７２は、それぞれ、内側面７０の内周に沿って同じ高さとなるよう設けられている。容器本体３の内側には開口部３０の上端面３０ａより一段低い第二の段差７２の上面７２ａと、この上面７２ａよりも一段低い第一の段差７１の上面７１ａとが形成されている。第一の段差７１および第二の段差７２が設けられていることで、容器本体３の内部７の上方から見たサイズが、各段差の上面の分だけ、内部７の下方に向かうに従って段階的に小さくなっている。収容部７５は、容器本体３の内部７の、第一の段差７１の上面７１ａよりも低い部分である。なお、上面７１ａおよび上面７２ａは、容器本体３の内側面７０に対して垂直に設けられた段差面と考えてもよい。容器本体３内部には、通常、第一の段差７１よりも低い位置にある収容部７５に収容物が収容される。なお、本実施の形態においては、保冷容器１が活魚等の生きた水産動物を、必要に応じて水等とともに収容する保冷容器である場合を例に挙げて説明する。ただし、保冷容器１の収容物は、生きた水産動物に限定されるものではない。
【００３５】
第一の中蓋５は、容器本体３の内部７の、第一の内側面７０ａで囲まれた部分にはめ込み可能な形状およびサイズを有している。第一の内側面７０ａは、容器本体３の内側面７０のうちの、第一の段差７１の上面７１ａと、第二の段差７２の上面７２ａとの間に位置する部分である。第一の中蓋５は、第一の内側面７０ａで囲まれた部分にはめ込み可能な形状およびサイズを有している。第一の中蓋５は、この第一の内側面７０ａで囲まれた部分にはめ込まれ、第一の段差７１の上面７１ａに、周縁が載置されるよう配置される場合について説明する。第二の段差７２の上面７２ａと、第一の段差７１の上面７１ａとの高さ方向の距離は、第一の中蓋５の厚さとほぼ同じとなっている。第一の中蓋５は、容器本体３の内部７に配置した場合に、第一の中蓋５の外周面５１が、容器本体３の第一の内側面７０ａと当接するようになっている。このようにすることで、摩擦により第一の中蓋５が容易に上方に移動しないようにすることができる。なお、本実施の形態のように、保冷容器１が発泡スチロールで構成されており、若干の弾力性を有する場合、このような弾力を利用して、第一の中蓋５の外周面が、容器本体３の第一の内側面７０ａと密接するように構成してもよい。このようにすることで、第一の中蓋５が、上記の場合よりもさらに上方に移動しにくくすることができる。かかることは、第二の中蓋６についても同様である。なお、第一の中蓋５の周縁上部の対称となる位置に、取手として利用可能な２つの凹部５２が設けられている。ここでの対称となる位置は、例えば、第一の中蓋５の平面方向の中心に対して点対称となる位置であっても良く、第一の中蓋５の上面に位置する平面方向の中心を通る直線に対して線対称となる位置であっても良い。ここでは、２つの凹部５２のそれぞれは、第一の中蓋５の平面方向の中心を通る直線に対して線対称となる位置から、この直線方向に対して異なる方向に所望の距離だけ移動した位置に配置されている。なお、取っ手として利用可能な凹部５２は、１以上であればよい。
【００３６】
なお、第一の中蓋５は、開口部３０内に配置されるものであればよい。第一の中蓋５は、例えば、開口部３０内にはめ込まれるように配置されるものであることが好ましい。また、第一の段差７１はどのような段差形状を有していても良く、例えば、第一の段差７１は、複数の段差によって構成されていてもよい。また、第一の段差７１の代わりに、第一の中蓋５の周縁と係合して第一の段差７１の下方へ移動しないようにする形状を有する第一の係合部（図示せず）を有していても良い。この第一の係合部の形状は問わない。また、この場合、第一の中蓋５は、周縁が第一の係合部に係合する形状を有していればよい。
【００３７】
第二の中蓋６は、容器本体３の内部７の、第二の内側面７０ｂで囲まれた部分にはめ込み可能な形状およびサイズを有している。第二の内側面７０ｂは、容器本体３の内側面７０のうちの、第二の段差７２の上面７２ａと容器本体３の上端面３０ａとの間に位置する部分である。第二の中蓋６は、この第二の内側面７０ｂで囲まれた部分にはめ込まれ、第二の段差７２の上面７２ａに、周縁が載置されるよう配置される。
【００３８】
第二の中蓋６の上面の周囲には全周囲にわたり第二中蓋上凸部６２が上向きに形成されている。第二の中蓋６の上面の第二中蓋上凸部６２で囲まれた領域の一部には、上方に向かって凸となる突起６４で囲まれたポンプ配置部６５が設けられている。この突起は、第二中蓋上凸部６２よりも高さが低くなっている。また、第二の中蓋６の上面の第二中蓋上凸部６２で囲まれた領域のポンプ配置部６５を除いた領域は、保冷剤や氷等の蓄冷材（図示せず）を収容するための蓄冷材収容部６１となっている。また、第二の中蓋６の下面の周囲には全周囲にわたり、第二中蓋下凸部６３が下向き形成されている。第二の中蓋６の外周側には、第二中蓋上凸部６２および第二中蓋下凸部６３の外側面６８が位置している。第二中蓋下凸部６３の下端面６３ａは、第二の中蓋６を、容器本体３の内部７に配置した場合に、第二の段差７２の上面７２ａと当接されるようになっており、第二中蓋上凸部６２および第二中蓋下凸部６３の外側面６８は、容器本体３の第二の内側面７０ｂと当接するようになっている。
【００３９】
なお、第二の中蓋６は、開口部３０内の第一の中蓋５の上方に配置されるものであればよい。第二の中蓋６は、例えば、開口部３０内にはめ込まれるように配置されるものであることが好ましい。また、第二の段差７２はどのような段差形状を有していても良く、例えば、第二の段差７２は、複数の段差によって構成されていてもよい。また、第二の段差７２の代わりに、第二の中蓋６の周縁と係合して第二の段差７２の下方へ移動しないようにする形状を有する第二の係合部（図示せず）を有していても良い。この第二の係合部の形状は問わない。また、この場合、第二の中蓋６は、周縁が第二の係合部に係合する形状を有していればよい。
【００４０】
上蓋４は、平面形状が、容器本体３の平面形状と同様の形状を有しており、第一の中蓋５および第二の中蓋６が配置された開口部３０を覆うように配置される。上蓋４の下面の周縁には、下方に凸となるフランジ部４１が全周囲にわたって設けられており、フランジ部４１の下面には、第二中蓋上凸部６２の上部がはめ込み可能な形状の凹溝４２が全周囲にわたって設けられている。フランジ部４１の凹溝４２よりも外側に位置する下面４３は、凹溝４２に第二中蓋上凸部６２の上部がはめ込まれるよう上蓋４で開口部３０を閉じた場合に、開口部３０側の上端面３０ａと当接するようになっている。ただし、上蓋４を、容器本体３を覆うように閉じて取付けられるようにする構成は、ここで説明した構成に限定されるものではない。
【００４１】
なお、上蓋４は、第一の中蓋５および第二の中蓋６が配置された開口部３０を覆うように配置されるものであれば、上記の構成に限定されるものではない。
【００４２】
図４（ａ）等に示すように、第二の中蓋６には一例として縦三列、横三列に並んだ９つの貫通孔６６が形成されている。これらの貫通孔６６は、蓄冷材収容部６１に配置された保冷剤８０や氷等の蓄冷材の冷気を第二の中蓋６よりも下方、ここでは、第一の中蓋５と第二の中蓋６との間の空間へ流入させるためのものである。貫通孔６６の直径は、例えば、１２ｍｍ〜１８ｍｍの範囲であることが好ましく、１４ｍｍ〜１６ｍｍであることがより好ましい。本実施の形態においては、貫通孔６６の直径は、１５ｍｍである場合を示している。なお、貫通孔６６の数や配置、サイズ等は、これらに限定されるものではない。貫通孔６６の数は、６以上であることが好ましい。
【００４３】
図４（ｂ）、（ｃ）に示すように、第一の中蓋５には、３個ずつ２列に配列された合計６個の貫通孔５５が形成されている。これらの貫通孔５５は、第二の中蓋６の貫通孔６６から第一の中蓋５と第二の中蓋６との間の空間に流れ込んだ保冷剤８０や氷等の蓄冷材の冷気を、容器本体３の収容部７５に流入させるためのものである。各貫通孔５５の平面方向における位置と、各貫通孔６６とは位置的に整合していない。つまり、上方から見て重なっていない。これは、振動により収容部７５に入っている水が揺れたときに、その水は、第一の中蓋５の貫通孔５５を介して上方へ跳ね上がるように出ることができるが、このように跳ね上がった水が第二の中蓋６の貫通孔６６が設けられていない部分の下面側に当たって第二の中蓋６の貫通孔６６より、第二の中蓋６より上方へ出ないようにするためである。なお、第一の中蓋５における貫通孔５５と、第二の中蓋６における貫通孔６６とは、図４（ａ）、（ｂ）に示す形態のほか、両者の貫通孔の平面方向の位置がずれているあらゆる形態をとりうる。貫通孔６６の直径は、例えば、８ｍｍ〜１２ｍｍの範囲であることが好ましく、９ｍｍ〜１１１ｍｍであることがより好ましい。本実施の形態においては、貫通孔６６の直径は、１０ｍｍである場合を示している。貫通孔の直径は、なお、貫通孔５５の孔の数や配置、サイズ等は、これらに限定されるものではない。貫通孔５５の数は６以上であることが好ましい。
【００４４】
また、ここでは、貫通孔５５は、平面方向において、第一の中蓋５の中央以外の外周側にだけ設けられている。これにより、蓄冷材を蓄冷材収容部６１に配置した場合、第二の中蓋６と第一の中蓋５との間に空間に流れ込んだ冷気を、収容部７５の中央側でなく内側面７０側に送り込むことができる。通常、容器は、外側に近い部分において、吸熱及び放熱を行うことから、内側面７０側に冷気を供給して、容器内をできるだけ均等に冷却することができる。また、第一の中蓋５と、第二の中蓋６との間に空間を設けたことによって、第二の中蓋６上に配置された蓄冷材の冷気を直接収容部７５に送り込むのではなく、一端この空間に滞留させ、第一の中蓋５の貫通孔５５から収容部７５に送り込むことができ、貫通孔５５の位置等を変更するだけで、冷気が供給される位置を変更できるため、冷気が供給される位置を設計しやすい。
【００４５】
蓄冷材収容部６１に配置された保冷剤や氷等の冷気が収容部７５内に十分に伝達される場合には、第一の中蓋５における貫通孔５５と、第二の中蓋６における貫通孔６６とを、必ずしも形成する必要はない。
【００４６】
ここでは、第一の段差７１と第二の段差７２との高さ方向の距離によって、第一の中蓋５の上面と、第二の中蓋６の下面との間に一定の高さの空間が形成されている。この空間によって、保冷容器１が揺れたときに、第一の中蓋５の貫通孔５５を介して上方へ跳ね上がるように出た収容部７５内の水は、第二の中蓋６の下面に衝突した後、この空間に一旦滞留し、最終的に第一の中蓋５の貫通孔５５から収容部７５内に戻る。このように跳ね上がった水が滞留する空間を確保することにより、保冷容器１の揺れにより跳ね上がった水が第二の中蓋６を押し上げる力を和らげて、第二の中蓋６の周囲からの水漏れを防止することができる。ここでは水で説明したが、水以外の液体であっても同様である。
【００４７】
図４（ｃ）に示されているように、第一の中蓋５の上面側には、一例として、第二の中蓋６の下面との間に一定の高さの空間を確保するために、縦横方向にそれぞれ２本ずつ、合計４つの、平面形状が直線状に伸びる形状を有する突起部５９が形成されている。また、直線状に伸びる突起部５９の配置等によって、冷気等の流れを設定できる。第一の中蓋５の、２つの凹部５２が設けられている２つの辺の近くにそれぞれ設けられた突起部５９は、それぞれの長手方向の中心位置が、突起部５９と対向する位置となるように形成されている。なお、突起部５９の数や、配置される位置、平面形状、サイズ等は上記のものに限定されるものではない。
【００４８】
容器本体３の内部７の底面のエア供給収容部９には、エア供給装置２３がはめ込まれており、エア供給装置２３にはエア供給管２５が接続されている。エア供給管２５の他端側は、容器本体３の収容部７５の底面と内側面７０とに設けられたエア供給収容部９に連通する溝２７に配設され、第二の中蓋６の第二中蓋上凸部６２の溝２７に隣接する位置に設けられた開口部６２ａを通って、ポンプ配置部６５に収容されたエアポンプ２９のエア供給口２４に接続されている。
【００４９】
エアポンプ２９は、例えば乾電池（図示せず）を駆動源として駆動し、保冷容器１の外気を吸引して第二の中蓋２４からエアを吐出する。第二の中蓋２４から吐出されたエアは、エア供給管２５を通って、エア供給装置２３から収容部７５内に供給される。エアポンプ２９の動作は、その上面に形成されたスイッチ（図示せず）により制御される。なお、エア供給装置２３やエアポンプ２９の配置や、これらを取付けるための構造等は、上述したものに限定されるものではない。また、エア供給が不要である場合、エアポンプ２９やエア供給装置２３等のエア供給のために用いられる装置は設けないようにしてもよい。
【００５０】
図２（ｂ）は、上蓋４、第二の中蓋６および第一の中蓋５を取付けた状態の、保冷容器１の、容器本体３の内側面７０の溝２７が設けられている部分近傍の、溝２７に沿った断面図である。
【００５１】
上蓋４のフランジ部４１の下面の、上蓋４を閉じた状態で上記の容器本体３の内側面７０の溝２７の上方となる位置には、この溝２７と、第二中蓋上凸部６２の開口部６２ａとに連通し、上蓋４の外周において開口している通気溝４５が設けられており、保冷容器１内の吸排気はこの通気溝４５を介して行われる。ただし、通気溝４５の配置される位置や構造等は、これに限定されるものではない。
【００５２】
容器本体３の上端面３０ａの対向する二箇所に貫通孔２２が形成されており、この貫通孔２２にベルト２１を通すことで保冷容器１が運搬しやすくなっている。ただし、貫通孔２２やベルト２１は省略しても良い。
【００５３】
本実施の形態の保冷容器１においては、保冷対象となる収容物を収容する収容部７５の上部に、第一の中蓋５、第二の中蓋６、および上蓋４が配置されるため、収容部７５の上方向における断熱効果を高くして、高い保冷効果を得ることができ、保冷容器１内を冷却した状態で長く保つことができる。
【００５４】
また、第一の中蓋５は、周縁が第一の段差７１の上面７１ａに載置された状態で、外周面５１が容器本体３の第一の内側面７０ａに当接されて、容器本体３の内部７に上方向に容易に移動しないようはめ込まれるため、収容部７５に収容された活魚が暴れて第一の中蓋５を下から押したり、収容部７５に収容された水が波打って、第一の中蓋５を下から押したりしても、第一の中蓋５がこの下から押す力を抑えて、第二の中蓋６が下から押されることがないようにすることができる。
【００５５】
例えば、仮に、第一の中蓋５の周縁が第一の段差７１の上面７１ａに載置されているだけで、外周面５１が、容器本体３の第一の内側面７０ａに当接されていない場合や、上方向に容易に移動するようはめ込まれる場合、下から第一の中蓋５が押された場合、第一の中蓋５が上昇して、第二の中蓋６を下から押し上げてしまうこととなることが考えられる。この場合、第二の中蓋６と容器本体３の第二の内側面７０ｂとの隙間等から、収容部７５内の水が漏れだしてしまう恐れがある。しかしながら、本実施の形態の保冷容器１においては、第一の中蓋５が下から押された力を緩衝して、第二の中蓋６に下から押された力を伝えることが起こらないようにすることができる。
【００５６】
本発明は、以上の実施の形態に限定されることなく、種々の変更が可能であり、それらも本発明の範囲内に包含されるものであることは言うまでもない。
【産業上の利用可能性】
【００５７】
以上のように、本発明にかかる保冷容器は、例えば、物品を保冷して運搬する際に利用する保冷容器等として適している。
【符号の説明】
【００５８】
１  保冷容器
３  容器本体
４  上蓋
５  第一の中蓋
６  第二の中蓋
３０  開口部
４１  フランジ部
５１  外周面
５２  凹部
５５  貫通孔
５９  突起部
６６  貫通孔
７０ａ  第一の内側面
７０ｂ  第二の内側面
７１  第一の段差
７１ａ，７２ａ  上面
７２  第二の段差
【図１】
2020083340.tif 000003
【図２】
2020083340.tif 000004
【図３】
2020083340.tif 000005
【図４】
2020083340.tif 000006